(57)【要約】      （修正有）【課題】（１）サーフボードに衝撃や傷を与えることなく安全に携行できる機能、（２）運搬する本人にとってフィットして違和感なく快適に携行することができる機能、（３）公共交通機関等で移動する場合に第三者に危害や圧迫を与えない機能、（４）使用するときは運搬する本人が疲労しないように軽量である機能、（５）使用しないときは省スペース性を発揮できるコンパクトである機能、（６）ファッショナブルでスタイリッシュな機能の全てを同時に発揮できるサーフボード用肩掛け運搬具を提供する。【解決手段】帯状織物繊維を含んで構成されるサーフボード用肩掛け運搬具であって、両端の二つの通し穴部（Ｈ１、Ｈ２）と中央の帯部（Ｂ）から構成され、全長が２８００〜３１００ミリメートル、幅が５０〜７０ミリメートル、及び、通し穴部（Ｈ１、Ｈ２）の開口部幅が８０〜１２０ミリメートルであることを特徴とする。【選択図】図７
0003150398.tif 000002
【実用新案登録請求の範囲】
【請求項１】
帯状織物繊維を含んで構成されるサーフボード用肩掛け運搬具であって、両端の二つの通し穴部（Ｈ１、Ｈ２）と中央の帯部（Ｂ）から構成され、
全長が２８００〜３１００ミリメートル、
幅が５０〜７０ミリメートル、及び、
通し穴部（Ｈ１、Ｈ２）の開口部幅が８０〜１２０ミリメートル
であることを特徴とするサーフボード用肩掛け運搬具。
【請求項２】
帯状織物繊維を含んで構成されるサーフボード用肩掛け運搬具であって、両端の二つの通し穴部（Ｈ１、Ｈ２）と中央の帯部（Ｂ）から構成され、
全長が２８００〜３１００ミリメートル、
幅が５０〜７０ミリメートル、及び、
通し穴部（Ｈ１、Ｈ２）の開口部幅が８０〜１２０ミリメートル
であって、
両端の二つの通し穴部（Ｈ１、Ｈ２）を用いて両端にループを作り、
両端のループにサーフボードを差し込み、
サーフボードを差し込んだ後にループを締めることにより、
サーフボードを固定し、
サーフボードを固定した後に帯部（Ｂ）を肩にかけて運搬する機能を具備したことを特徴とするサーフボード用肩掛け運搬具。
【考案の詳細な説明】
【技術分野】
【０００１】
本考案は、サーフボード用肩掛け運搬具に関する。
【背景技術】
【０００２】
サーフボード用肩掛け運搬具は、自宅から、サーフィンを楽しむ海岸まで、サーフボードを運搬する機能を有する。したがって、サーフボード用肩掛け運搬具には、(1)サーフボードに衝撃や傷を与えることなく安全に携行できる機能、(2)運搬する本人にとってフィットして違和感なく快適に携行することができる機能、(3)公共交通機関等で移動する場合に第三者に危害や圧迫を与えない機能、(4)使用するときは運搬する本人が疲労しないように軽量である機能、(5)使用しないときは省スペース性を発揮できるコンパクトである機能、(6)ファッショナブルでスタイリッシュな機能等が求められる。
しかしながら、従来のサーフボード用肩掛け運搬具は、これらの６つの機能の全てを同時に具備していなかった。
【０００３】
特開２００３−２４５１１２号公報には、サーフボードを肩に掛けて携行するためのボードキャリアにおいて、サーフボードを手軽にズレ動くことなく横抱き状態で支持できるようにしたサーフボード用肩掛け運搬具が開示されている。具体的には、展開状態において左右横長になるシート本体と、シート本体の左右端に付設した肩掛け用の吊バンドとからなり、前記シート本体は、可撓性を有する１枚の生地を裁断して、展開状態の平面視で菱形状に形成されており、前記吊バンドは、１本の広幅ベルトの両端部が前記シート本体の左右端部の前後縁部分に沿うよう縫着されている特開２００３−２４５１１２号公報が開示されている。
【０００４】
しかしながら、特開２００３−２４５１１２号公報に開示されているサーフボード用肩掛け運搬具は、運搬中に常にサーフボードが落下しないようにバランスを取る必要があり、油断するとサーフボードが滑り落ちやすいという難点があった。
【特許文献１】特開２００３−２４５１１２号公報
【考案の開示】
【考案が解決しようとする課題】
【０００５】
本考案が解決しようとする課題は、(1)サーフボードに衝撃や傷を与えることなく安全に携行できる機能、(2)運搬する本人にとってフィットして違和感なく快適に携行することができる機能、(3)公共交通機関等で移動する場合に第三者に危害や圧迫を与えない機能、(4)使用するときは運搬する本人が疲労しないように軽量である機能、(5)使用しないときは省スペース性を発揮できるコンパクトである機能、(6)ファッショナブルでスタイリッシュな機能の全てを同時に具備したサーフボード用肩掛け運搬具を提供することである。
【課題を解決するための手段】
【０００６】
本考案に係るサーフボード用肩掛け運搬具は、帯状織物繊維を含んで構成されるサーフボード用肩掛け運搬具であって、両端の二つの通し穴部（Ｈ１、Ｈ２）と中央の帯部（Ｂ）から構成され、全長が２８００〜３１００ミリメートル、幅が５０〜７０ミリメートル、及び、通し穴部（Ｈ１、Ｈ２）の開口部幅が８０〜１２０ミリメートルであることを特徴とする。
【０００７】
本考案に係るサーフボード用肩掛け運搬具は、帯状織物繊維を含んで構成されるサーフボード用肩掛け運搬具であって、両端の二つの通し穴部（Ｈ１、Ｈ２）と中央の帯部（Ｂ）から構成される。
【０００８】
本考案に係るサーフボード用肩掛け運搬具は、全長が２８００〜３１００ミリメートル、幅が５０〜７０ミリメートル、及び、通し穴部（Ｈ１、Ｈ２）の開口部幅が８０〜１２０ミリメートルである。
【０００９】
通し穴部（Ｈ１、Ｈ２）は、開口部幅が８０〜１２０ミリメートルとなるように、帯状織物繊維を折り返して縫着する。
縫着部分については、十分な機械的強度を維持するために、丈夫な糸で縫い付ける。
【考案の効果】
【００１０】
本考案は、(1)サーフボードに衝撃や傷を与えることなく安全に携行できる機能、(2)運搬する本人にとってフィットして違和感なく快適に携行することができる機能、(3)公共交通機関等で移動する場合に第三者に危害や圧迫を与えない機能、(4)使用するときは運搬する本人が疲労しないように軽量である機能、(5)使用しないときは省スペース性を発揮できるコンパクトである機能、(6)ファッショナブルでスタイリッシュな機能の全てを同時に具備したサーフボード用肩掛け運搬具を提供することができる。
【考案を実施するための最良の形態】
【００１１】
本考案に係るサーフボード用肩掛け運搬具の最良の態様は、全長は概ね３１００ミリメートル、幅は概ね６０ミリメートル、二つの通し穴部の開口部幅はそれぞれ概ね１００ミリメートルである。
【００１２】
本考案に係るサーフボード用肩掛け運搬具の最良の態様につき、図１に正面図を、図２に背面図を、図３に右側面図を、図４に左側面図を、図５に上面図を、図６に底面図を、それぞれ示した。
【００１３】
図７において、本願考案に係るサーフボード用肩掛け運搬具の二つの通し穴部（Ｈ１、Ｈ２）と帯部（Ｂ）を示した。
【００１４】
図８において、本願考案に係るサーフボード用肩掛け運搬具の左端を拡大した正面図、背面図、上面図、及び、底面図、並びに右側面図と左側面図を示した。
【００１５】
図９において、本願考案に係るサーフボード用肩掛け運搬具をサーフボードに装着するためループの作り方を示した（俯瞰図）。
【００１６】
図１０において、本願考案に係るサーフボード用肩掛け運搬具をサーフボードに装着するためループの作り方を示した（拡大図）。
【００１７】
図１１において、本願考案に係るサーフボード用肩掛け運搬具をサーフボードに装着した状態を示した（拡大図）。
【００１８】
図１２において、本願考案に係るサーフボード用肩掛け運搬具をサーフボードに装着した状態を示した（拡大図）。
【００１９】
図１３において、本願考案に係るサーフボード用肩掛け運搬具をサーフボードに装着した状態を示した（俯瞰図）。
【００２０】
図１４において、本願考案に係るサーフボード用肩掛け運搬具をサーフボードに装着した状態を示した（俯瞰図）。
【００２１】
図１５において、本願考案に係るサーフボード用肩掛け運搬具をサーフボードに装着した状態を示した（俯瞰図）。
【００２２】
図１６は、本願考案に係るサーフボード用肩掛け運搬具を市場に流通させる際の一形態を示した。
【００２３】
図１７には、本願考案に係るサーフボード用肩掛け運搬具のタグ部分の拡大図を示した。
【図面の簡単な説明】
【００２４】
【図１】本願考案に係るサーフボード用肩掛け運搬具の正面図である。
【図２】本願考案に係るサーフボード用肩掛け運搬具の背面図である。
【図３】本願考案に係るサーフボード用肩掛け運搬具の右側面図である。
【図４】本願考案に係るサーフボード用肩掛け運搬具の左側面図である。
【図５】本願考案に係るサーフボード用肩掛け運搬具の上面図である。
【図６】本願考案に係るサーフボード用肩掛け運搬具の底面図である。
【図７】図７において、本願考案に係るサーフボード用肩掛け運搬具の二つの通し穴部（Ｈ１、Ｈ２）と帯部（Ｂ）を示した。
【図８】図８は、本願考案に係るサーフボード用肩掛け運搬具の左端を拡大した正面図、背面図、上面図、及び、底面図、並びに右側面図と左側面図である。
【図９】図９において、本願考案に係るサーフボード用肩掛け運搬具をサーフボードに装着するためループの作り方を示した（俯瞰図）。
【図１０】図１０において、本願考案に係るサーフボード用肩掛け運搬具をサーフボードに装着するためループの作り方を示した（拡大図）。
【図１１】図１１において、本願考案に係るサーフボード用肩掛け運搬具をサーフボードに装着した状態を示した（拡大図）。
【図１２】図１２において、本願考案に係るサーフボード用肩掛け運搬具をサーフボードに装着した状態を示した（拡大図）。
【図１３】図１３において、本願考案に係るサーフボード用肩掛け運搬具をサーフボードに装着した状態を示した（俯瞰図）。
【図１４】図１４において、本願考案に係るサーフボード用肩掛け運搬具をサーフボードに装着した状態を示した（俯瞰図）。
【図１５】図１５において、本願考案に係るサーフボード用肩掛け運搬具をサーフボードに装着した状態を示した（俯瞰図）。
【図１６】図１６は、本願考案に係るサーフボード用肩掛け運搬具を市場に流通させる際の一形態を示した。
【図１７】図１７は、本願考案に係るサーフボード用肩掛け運搬具のタグ部分の拡大図である。
【符号の説明】
【００２５】
Ｈ１ 通し穴部
Ｈ２  通し穴部
Ｂ    帯部
【図１】
0003150398.tif 000003
【図２】
0003150398.tif 000004
【図３】
0003150398.tif 000005
【図４】
0003150398.tif 000006
【図５】
0003150398.tif 000007
【図６】
0003150398.tif 000008
【図７】
0003150398.tif 000009
【図８】
0003150398.tif 000010
【図９】
0003150398.tif 000011
【図１０】
0003150398.tif 000012
【図１１】
0003150398.tif 000013
【図１２】
0003150398.tif 000014
【図１３】
0003150398.tif 000015
【図１４】
0003150398.tif 000016
【図１５】
0003150398.tif 000017
【図１６】
0003150398.tif 000018
【図１７】
0003150398.tif 000019
【手続補正書】
【提出日】平成20年12月26日(2008.12.26)
【手続補正１】
【補正対象書類名】実用新案登録請求の範囲
【補正対象項目名】全文
【補正方法】変更
【補正の内容】
【実用新案登録請求の範囲】
【請求項１】
帯状織物繊維を含んで構成されるサーフボード用肩掛け運搬具であって、両端の二つの通し穴部（Ｈ１、Ｈ２）と中央の帯部（Ｂ）から構成され、
全長が２８００〜３１００ミリメートル、
幅が５０〜７０ミリメートル、及び、
通し穴部（Ｈ１、Ｈ２）の開口幅が８０〜１２０ミリメートル
であることを特徴とするサーフボード用肩掛け運搬具。
【請求項２】
帯状織物繊維を含んで構成されるサーフボード用肩掛け運搬具であって、両端の二つの通し穴部（Ｈ１、Ｈ２）と中央の帯部（Ｂ）から構成され、
全長が２８００〜３１００ミリメートル、
幅が５０〜７０ミリメートル、及び、
通し穴部（Ｈ１、Ｈ２）の開口幅が８０〜１２０ミリメートル
であって、
両端の二つの通し穴部（Ｈ１、Ｈ２）を用いて両端にループを作り、
両端のループにサーフボードを差し込み、
サーフボードを差し込んだ後にループを締めることにより、
サーフボードを固定し、
サーフボードを固定した後に帯部（Ｂ）を肩にかけて運搬する機能を具備したことを特徴とするサーフボード用肩掛け運搬具。
【手続補正２】
【補正対象書類名】図面
【補正対象項目名】図７
【補正方法】変更
【補正の内容】
【図７】
0003150398.tif 000020
【手続補正３】
【補正対象書類名】図面
【補正対象項目名】図８
【補正方法】変更
【補正の内容】
【図８】
0003150398.tif 000021
【手続補正４】
【補正対象書類名】図面
【補正対象項目名】図９
【補正方法】変更
【補正の内容】
【図９】
0003150398.tif 000022
【手続補正５】
【補正対象書類名】図面
【補正対象項目名】図１０
【補正方法】変更
【補正の内容】
【図１０】
0003150398.tif 000023
【手続補正６】
【補正対象書類名】図面
【補正対象項目名】図１１
【補正方法】変更
【補正の内容】
【図１１】
0003150398.tif 000024
【手続補正７】
【補正対象書類名】図面
【補正対象項目名】図１２
【補正方法】変更
【補正の内容】
【図１２】
0003150398.tif 000025
【手続補正８】
【補正対象書類名】図面
【補正対象項目名】図１３
【補正方法】変更
【補正の内容】
【図１３】
0003150398.tif 000026
【手続補正９】
【補正対象書類名】図面
【補正対象項目名】図１４
【補正方法】変更
【補正の内容】
【図１４】
0003150398.tif 000027
【手続補正１０】
【補正対象書類名】図面
【補正対象項目名】図１５
【補正方法】変更
【補正の内容】
【図１５】
0003150398.tif 000028
【手続補正１１】
【補正対象書類名】図面
【補正対象項目名】図１６
【補正方法】変更
【補正の内容】
【図１６】
0003150398.tif 000029
【手続補正１２】
【補正対象書類名】図面
【補正対象項目名】図１７
【補正方法】変更
【補正の内容】
【図１７】
0003150398.tif 000030